(57)【特許請求の範囲】
【請求項１】
複数の電線を結束して固定する電線固定具であって、該結束した電線群の集合体断面の周囲形状を略方形状と見なして、該集合体の一面を上面とし、該上面に対向する面を底面とし、他の２つの面をそれぞれ側面とするとき、
第１係合部と、一端が該第１係合部と連接して一方の面が前記集合体の上面と接する帯形状の第１辺部と、該第１辺部の他端と連接して一方の面が前記集合体の一方の側面と接する帯形状の第２辺部と、該第２辺部の他端と連接する第２係合部と、を一体成形した第１部材と、
前記第１部材の第２係合部と係合する第１係合部と、一端が該第１係合部と連接して一方の面が前記集合体の底面と接する帯形状の第３辺部と、該第３辺部の他端と連接する第２係合部と、を一体成形した、前記第１部材と係合する点を中心に回転自在な第２部材と、
前記第２部材の第２係合部と係合する第１係合部と、一端が該第１係合部と連接する連接部材と、該連接部材上に第１係合部と距離を置いて配置される第２係合部と、を一体成形した、前記第２部材と係合する点を中心に回転自在な第３部材と、
前記第３部材の第２係合部と係合して前記第３部材と係合する点を中心に回転自在とする第１係合部と、一端が該第１係合部と連接して一方の面が前記集合体の他方の側面と接する第４辺部と、該第４辺部の他端と連接し、前記第１部材の第１係合部と係合する第２係合部と、を弾性変形可能な素材で一体成形した、前記第１部材との係合する点を中心に回転可能な第４部材と、を備え、
前記第２部材と前記第３部材とが係合する点と、前記第１部材と前記第４部材とが係合する点と、を結ぶ仮想線が、前記集合体の他方の側面に対応する略方形状の側辺と略平行となるように、前記第１部材と、該第１部材に係合した第２部材と、該第２部材に係合した第３部材と、該第３部材に係合した第４部材と、を配置し、
前記第３部材と前記第４部材とが係合する点が、前記仮想線に対して前記集合体の位置する側とは反対側の位置から前記集合体の位置する側に移動するよう、前記第２部材と前記第３部材とが係合する点を中心に前記第３部材を回転させて、前記複数の電線を結束して固定することを特徴とする電線固定具。
【請求項２】
前記第１部材は、前記帯形状の第１辺部および前記第２辺部をそれぞれ帯状部材の長手方向の両側辺に配置される２本の線状部材で構成し、前記第１係合部を当該線状部材の一端が前記第１辺部の一の線状部材の一端と、当該線状部材の他端が前記第１辺部の他の線状部材の一端とそれぞれ連接するＵ字状の線状部材で構成し、該Ｕ字のそれぞれの側辺は該Ｕ字の底辺の長手方向に垂直な仮想面上でＵ字状となるよう曲げて形成され、前記第２係合部を２本の線状部材で構成し、一の線状部材の一端が前記第２辺部の一の線状部材の他端と、他の線状部材の一端が前記第２辺部の他の線状部材の他端とそれぞれ連接し、それぞれの線状部材の他端は略円状となるよう曲げて形成され、
前記第２部材は、前記帯形状の第３辺部を帯状部材の長手方向の両側辺に配置される２本の線状部材で構成し、前記第１係合部を当該線状部材の一端が前記第３辺部の一の線状部材の一端と、当該線状部材の他端が前記第３辺部の他の線状部材の一端とそれぞれ連接するＵ字状の線状部材で構成し、前記第２係合部を２本の線状部材で構成し、一の線状部材の一端が前記第３辺部の一の線状部材の他端と、他の線状部材の一端が前記第３辺部の他の線状部材の他端とそれぞれ連接し、それぞれの線状部材の他端は略円状となるよう曲げて形成され、
前記第３部材は、前記連接部材をＵ字状の線状部材で構成し、前記第１係合部を２本の線状部材で構成し、一の線状部材の一端が前記連接部材の一端と、他の線状部材の一端が前記連接部材の他端とそれぞれ連接し、一の線状部材の他端が前記第２部材の第２係合部の一の線状部材が形成する円に、他の線状部材の他端が前記第２部材の第２係合部の他の線状部材が形成する円にそれぞれ嵌合するよう曲げて形成され、前記第２係合部を前記連接部材のＵ字の側辺となる部分を螺旋状に巻くことにより形成し、
前記第４部材は、前記第４辺部を対向する２本の線状部材で構成し、前記第２係合部を当該線状部材の一端が前記第４辺部の一の線状部材の一端と、当該線状部材の他端が前記第４辺部の他の線状部材の一端とそれぞれ連接するＵ字状の線状部材で構成し、前記第１係合部を２本の線状部材で構成し、一の線状部材の一端が前記第４辺部の一の線状部材の他端と、他の線状部材の一端が前記第４辺部の他の線状部材の他端とそれぞれ連接し、一の線状部材の他端が前記第３部材の第２係合部が形成する一の螺旋円に、他の線状部材の他端が前記第３部材の第２係合部が形成する他の螺旋円にそれぞれ嵌合するよう曲げて形成される、
ことを特徴とする請求項１に記載の電線固定具。
【請求項３】
前記第１部材は、前記第１辺部の前記集合体の上面と接する側の面形状が、前記集合体の上面の面形状に合わせて形成されることを特徴とする請求項１または請求項２に記載の電線固定具。
【請求項４】
前記第２部材の第３辺部に取り付けられ、前記複数の電線を結束して固定したときに、前記集合体の底面、前記第１部材の第２辺部および前記第４部材の第４辺部と接するスペーサを有することを特徴とする請求項１乃至請求項３の何れか１項に記載の電線固定具。
【請求項５】
前記第３部材は、前記連接部材の他端に第３係合部を備え、
前記第１部材の第２係合部または第２部材の第１係合部と係合する第１係合部と、
前記第３部材の第３係合部と係合する第２係合部と、を一体成形した固定解除防止部材を有することを特徴とする請求項１乃至請求項４の何れか１項に記載の電線固定具。
【請求項６】
請求項１乃至請求項４の何れか１項に記載の電線固定具を取り付ける際に用いられる固定操作棒のＬ字形状の先端工具であって、
前記Ｌ字の短辺の一端に配置され、前記固定操作棒に当該先端工具を回転自在に取り付ける取付部と、
前記Ｌ字の短辺の他端側に凸形状に形成され、前記第１部材を保持する保持部と、
前記Ｌ字の短辺と長辺とが交差する位置に配置され、前記第３部材の前記連接部材の他端を掛止する第１掛止部と、
前記Ｌ字の長辺上に形成され、前記第４部材の前記第２係合部を載せて摺動させる摺動部と、
前記Ｌ字の長辺の一端側に前記第１掛止部と対向して配置され、前記第３部材の前記連接部材の他端を掛止するＪ字形状の第２掛止部と、
を一体成形したことを特徴とする固定操作棒の先端工具。
【請求項７】
請求項１乃至請求項４の何れか１項に記載の電線固定具を、請求項６に記載の先端工具を取り付けた固定操作棒を用いて取り付ける電線固定具の取付方法であって、
前記先端工具の前記保持部により鎖状連結した電線固定具の前記第１部材を保持した状態で該第１部材を前記集合体に載置して、前記集合体に前記第１部材を掛止させる第１掛止ステップと、
前記先端工具から前記第１部材を取り外して、前記先端工具の前記第１掛止部で前記第３部材の前記連接部材の他端を掛止し、且つ前記先端工具の前記摺動部に前記第４部材の前記第２係合部を載せた状態で、前記第２部材が前記集合体の底面に接するよう前記先端工具を横方向に移動する移動ステップと、
前記先端工具の前記第１掛止部で前記第３部材の前記連接部材の他端を掛止し、且つ前記先端工具の前記摺動部に前記第４部材の前記第２係合部を載せた状態で、前記第２部材が前記集合体の底面に接するようにした位置から前記先端工具を下方向に移動させることにより、該先端工具に反時計回りの回転運動を生じさせて、前記先端工具の前記摺動部に載せた前記第４部材の前記第２係合部を前記第１部材の前記第１係合部に掛止する第２掛止ステップと、
前記先端工具の前記第２掛止部で前記第３部材の前記連接部材の他端を掛止した状態で、前記第３部材および前記第４部材の係合点が、前記第２部材および前記第３部材の係合点と前記第１部材および前記第４部材の係合点とを結ぶ仮想線に対して前記集合体の位置する側とは反対側の位置から前記集合体の位置する側に移動するよう、前記先端工具の横方向の移動により、前記第２部材および前記第３部材の係合点を中心に前記第３部材を回転させて、複数の電線を結束して固定する固定ステップと、を備える
ことを特徴とする電線固定具の取付方法。
【発明の詳細な説明】
【技術分野】
【０００１】
この発明は、電線固定具、固定操作棒の先端工具および電線固定具の取付方法に関し、特に、巻き付け作業が不要で取付作業の操作性に優れ、強固な締め付けが可能な電線固定具、固定操作棒の先端工具および電線固定具の取付方法に関する。
【背景技術】
【０００２】
高圧電線の電線分岐箇所においては、接続部分の絶縁抵抗の増加、絶縁性能の低下および断線防止のため、分岐点に張力が加わらないように幹線と分岐電線相互を固定する必要がある。そのため、高圧電線の分岐箇所に幹線と分岐電線相互を固定するためのバインド線を巻き付ける作業が必要である。なお、このバインド線の施工を、（作業者が（例えば高圧ゴム手袋等の）保護具を着用せずに作業する）間接活線作業にて行う場合には、固定操作棒（絶縁棒）にバインド打ち器等の先端工具を取り付け、該バインド打ち器が取り付けられた固定操作棒を用いて巻き付け作業が行われる。
【０００３】
例えば特許文献１には、このようなバインド線による固定手法を改良した電線結束具が提案されている。この従来技法は、線材部を高圧配電線および高圧分岐電線に２つ折れ状態または２回巻き状態で掛け、操作部の円環部に操作具の係止部を差し込んだ状態で操作具を回転させることにより、２つ折れまたは２回巻き状態で互いに重なっている線材部同士を捻り合わして、高圧配電線と高圧分岐電線とを結束するようにしたものである。
【０００４】
また、バインド線のようなテープ状の部材を用いた電線の結束技法については、他の分野でも種々の改良技術が提案されており、例えばワイヤハーネスに係わる分野では、特許文献２で開示された、４本の電線を結束するための電線保持具がある。この従来技法は、電性の外形と嵌合可能な湾曲が４箇所形成された略十字状の冶具を４本の電線の中に入れることで、簡単なテープ巻きのみで４本以上の枝線の相対位置を特定可能とすると共に、各枝線の配索方向も一定方向に規制可能としたものである。
【先行技術文献】
【特許文献】
【０００５】
【特許文献１】特開２０１４−１３５８２９号公報
【特許文献２】特開２０１３−３８８７３号公報
【発明の概要】
【発明が解決しようとする課題】
【０００６】
ところで、一般に、バインド線による幹線と分岐電線の固定手法では、次のような課題がある。すなわち、手巻き用のバインド線を使用するため、バインド線を電線に取り付ける前に、所定の形状にし（一方の端部をＵ字状に曲げ）て、両端部にひねりを入れておくなどの事前の加工が必要である。また、加工したバインド線の一方（Ｕ字状に曲げた側）の端部を絶縁ヤットコで把持して該バインド線を電線に引っ掛け、絶縁ヤットコでバインド線の一端を保持した状態でバインド打ち器が取り付けられた固定操作棒による巻き付け作業を行うため、操作性に課題がある。
【０００７】
さらに、バインド線を手巻き作業で行う場合には、一巻き毎に締め付けが可能であるが、間接活線作業の場合には、バインド線を巻いて最後に該バインド線をねじって締め付ける（絞る）ことになるため、均等な締め付けができない。なお、間接活線作業での最後のバインド線の締め付け作業は、バインド線の輪の向きを調整して、その輪の中にバインド打ち器の先端を差し込んで、バインド打ち器を回転させる操作で行われるが、輪の向きの調整やバインド打ち器の先端を差し込む操作に熟練を要する。
【０００８】
これら事前の加工、操作性並びに均一な締め付けができないなどの課題は、間接活線作業でのバインド線の巻き付け作業が難しいことに起因しており、巻き付け作業が不要で取付作業の操作性に優れた新たな電線固定具の開発が望まれている。なお、作業の操作性と共に電線固定具に要求される要件や望まれる特徴には、例えば次のような事項がある。先ず、強固な締め付け力は必須である。また、施工に必要な工具の種類は少ない方が望ましい。また、電線固定具の撤去も容易であればなお良い。さらに、異なる太さの電線の固定にも使用できる汎用性あることが望ましい。
【０００９】
そこでこの発明は、巻き付け作業が不要で、取付作業の操作性に優れ、強固な締め付けが可能な電線固定具、固定操作棒の先端工具および電線固定具の取付方法を提供することを目的とする。
【課題を解決するための手段】
【００１０】
上記課題を解決するために、請求項１の発明は、複数の電線を結束して固定する電線固定具であって、該結束した電線群の集合体断面の周囲形状を略方形状と見なして、該集合体の一面を上面とし、該上面に対向する面を底面とし、他の２つの面をそれぞれ側面とするとき、第１係合部と、一端が該第１係合部と連接して一方の面が前記集合体の上面と接する帯形状の第１辺部と、該第１辺部の他端と連接して一方の面が前記集合体の一方の側面と接する帯形状の第２辺部と、該第２辺部の他端と連接する第２係合部と、を一体成形した第１部材と、前記第１部材の第２係合部と係合する第１係合部と、一端が該第１係合部と連接して一方の面が前記集合体の底面と接する帯形状の第３辺部と、該第３辺部の他端と連接する第２係合部と、を一体成形した、前記第１部材と係合する点を中心に回転自在な第２部材と、前記第２部材の第２係合部と係合する第１係合部と、一端が該第１係合部と連接する連接部材と、該連接部材上に第１係合部と距離を置いて配置される第２係合部と、を一体成形した、前記第２部材と係合する点を中心に回転自在な第３部材と、前記第３部材の第２係合部と係合して前記第３部材と係合する点を中心に回転自在とする第１係合部と、一端が該第１係合部と連接して一方の面が前記集合体の他方の側面と接する第４辺部と、該第４辺部の他端と連接し、前記第１部材の第１係合部と係合する第２係合部と、を弾性変形可能な素材で一体成形した、前記第１部材との係合する点を中心に回転可能な第４部材と、を備え、前記第２部材と前記第３部材とが係合する点と、前記第１部材と前記第４部材とが係合する点と、を結ぶ仮想線が、前記集合体の他方の側面に対応する略方形状の側辺と略平行となるように、前記第１部材と、該第１部材に係合した第２部材と、該第２部材に係合した第３部材と、該第３部材に係合した第４部材と、を配置し、前記第３部材と前記第４部材とが係合する点が、前記仮想線に対して前記集合体の位置する側とは反対側の位置から前記集合体の位置する側に移動するよう、前記第２部材と前記第３部材とが係合する点を中心に前記第３部材を回転させて、前記複数の電線を結束して固定することを特徴とする。
【００１１】
請求項１の発明では、第１部材と、該第１部材に係合した第２部材と、該第２部材に係合した第３部材と、該第３部材に係合した第４部材と、を鎖状に連結し、該鎖状連結した電線固定具の第１部材を集合体に掛止した後、第２部材、第３部材および第４部材で集合体を包んでいくように、それぞれの係合点を中心にそれぞれの部材を回転させて、第４部材の第２係合部を第１部材の第１係合部に掛止させる。この状態で、第３部材および第４部材の係合点が、第２部材および第３部材の係合点と第１部材および第４部材の係合点とを結ぶ仮想線に対して集合体の位置する側とは反対側の位置から集合体の位置する側に移動するよう、第２部材および第３部材の係合点を中心に第３部材を回転させて、複数の電線を結束して固定する。
【００１２】
請求項２の発明は、請求項１に記載の電線固定具において、前記第１部材は、前記帯形状の第１辺部および前記第２辺部をそれぞれ帯状部材の長手方向の両側辺に配置される２本の線状部材で構成し、前記第１係合部を当該線状部材の一端が前記第１辺部の一の線状部材の一端と、当該線状部材の他端が前記第１辺部の他の線状部材の一端とそれぞれ連接するＵ字状の線状部材で構成し、該Ｕ字のそれぞれの側辺は該Ｕ字の底辺の長手方向に垂直な仮想面上でＵ字状となるよう曲げて形成され、前記第２係合部を２本の線状部材で構成し、一の線状部材の一端が前記第２辺部の一の線状部材の他端と、他の線状部材の一端が前記第２辺部の他の線状部材の他端とそれぞれ連接し、それぞれの線状部材の他端は略円状となるよう曲げて形成され、前記第２部材は、前記帯形状の第３辺部を帯状部材の長手方向の両側辺に配置される２本の線状部材で構成し、前記第１係合部を当該線状部材の一端が前記第３辺部の一の線状部材の一端と、当該線状部材の他端が前記第３辺部の他の線状部材の一端とそれぞれ連接するＵ字状の線状部材で構成し、前記第２係合部を２本の線状部材で構成し、一の線状部材の一端が前記第３辺部の一の線状部材の他端と、他の線状部材の一端が前記第３辺部の他の線状部材の他端とそれぞれ連接し、それぞれの線状部材の他端は略円状となるよう曲げて形成され、前記第３部材は、前記連接部材をＵ字状の線状部材で構成し、前記第１係合部を２本の線状部材で構成し、一の線状部材の一端が前記連接部材の一端と、他の線状部材の一端が前記連接部材の他端とそれぞれ連接し、一の線状部材の他端が前記第２部材の第２係合部の一の線状部材が形成する円に、他の線状部材の他端が前記第２部材の第２係合部の他の線状部材が形成する円にそれぞれ嵌合するよう曲げて形成され、前記第２係合部を前記連接部材のＵ字の側辺となる部分を螺旋状に巻くことにより形成し、前記第４部材は、前記第４辺部を対向する２本の線状部材で構成し、前記第２係合部を当該線状部材の一端が前記第４辺部の一の線状部材の一端と、当該線状部材の他端が前記第４辺部の他の線状部材の一端とそれぞれ連接するＵ字状の線状部材で構成し、前記第１係合部を２本の線状部材で構成し、一の線状部材の一端が前記第４辺部の一の線状部材の他端と、他の線状部材の一端が前記第４辺部の他の線状部材の他端とそれぞれ連接し、一の線状部材の他端が前記第３部材の第２係合部が形成する一の螺旋円に、他の線状部材の他端が前記第３部材の第２係合部が形成する他の螺旋円にそれぞれ嵌合するよう曲げて形成される、ことを特徴とする。
【００１３】
請求項２の発明では、第１部材を１本のＵ字状の線状部材で構成し、所定位置に曲げ加工を施して第１係合部および第２係合部を形成する。また、第２部材を１本のＵ字状の線状部材で構成し、所定位置に曲げ加工を施して第２係合部を形成する。また、第３部材を１本のＵ字状の線状部材で構成し、所定位置に曲げ加工を施して第１係合部および第２係合部を形成する。さらに、第４部材を１本のＵ字状の線状部材で構成し、所定位置に曲げ加工を施して第１係合部および第２係合部を形成する。そして、第１部材と、該第１部材に係合した第２部材と、該第２部材に係合した第３部材と、該第３部材に係合した第４部材と、を鎖状に連結して電線固定具を構成する。
【００１４】
請求項３の発明は、請求項１または請求項２に記載の電線固定具において、前記第１部材は、前記第１辺部の前記集合体の上面と接する側の面形状が、前記集合体の上面の面形状に合わせて形成されることを特徴とする。
【００１５】
請求項４の発明は、請求項１乃至請求項３の何れか１項に記載の電線固定具において、前記第２部材の第３辺部に取り付けられ、前記複数の電線を結束して固定したときに、前記集合体の底面、前記第１部材の第２辺部および前記第４部材の第４辺部と接するスペーサを有することを特徴とする。
【００１６】
請求項５の発明は、請求項１乃至請求項４の何れか１項に記載の電線固定具において、前記第３部材は、前記連接部材の他端に第３係合部を備え、前記第１部材の第２係合部または第２部材の第１係合部と係合する第１係合部と、前記第３部材の第３係合部と係合する第２係合部と、を一体成形した固定解除防止部材を有することを特徴とする。
【００１７】
請求項６の発明は、請求項１乃至請求項４の何れか１項に記載の電線固定具を取り付ける際に用いられる固定操作棒のＬ字形状の先端工具であって、前記Ｌ字の短辺の一端に配置され、前記固定操作棒に当該先端工具を回転自在に取り付ける取付部と、前記Ｌ字の短辺の他端側に凸形状に形成され、前記第１部材を保持する保持部と、前記Ｌ字の短辺と長辺とが交差する位置に配置され、前記第３部材の前記連接部材の他端を掛止する第１掛止部と、前記Ｌ字の長辺上に形成され、前記第４部材の前記第２係合部を載せて摺動させる摺動部と、前記Ｌ字の長辺の一端側に前記第１掛止部と対向して配置され、前記第３部材の前記連接部材の他端を掛止するＪ字形状の第２掛止部と、を一体成形したことを特徴とする。
【００１８】
請求項６の発明では、保持部により鎖状連結した電線固定具の第１部材を保持した状態で集合体に載置して、該集合体に第１部材を掛止させる。その後、当該先端工具から第１部材を取り外して、第１掛止部で第３部材の連接部材の他端を掛止し、且つ摺動部に第４部材の第２係合部を載せた状態で、第２部材が集合体の底面に接するよう当該先端工具を横方向に移動する。そして、第１掛止部で第３部材の連接部材の他端を掛止し、且つ摺動部に第４部材の第２係合部を載せた状態で、第２部材が集合体の底面に接するようにした位置から当該先端工具を下方向に移動させることにより、当該先端工具に反時計回りの回転運動を生じさせて、摺動部に載せた第４部材の第２係合部を第１部材の第２係合部に掛止する。その後、第２掛止部で第３部材の連接部材の他端を掛止して、当該先端工具の横方向の移動により、第２部材および第３部材の係合点を中心に第３部材を回転させて、複数の電線を結束して固定する。
【００１９】
請求項７の発明は、請求項１乃至請求項４の何れか１項に記載の電線固定具を、請求項６に記載の先端工具を取り付けた固定操作棒を用いて取り付ける電線固定具の取付方法であって、前記先端工具の前記保持部により鎖状連結した電線固定具の前記第１部材を保持した状態で該第１部材を前記集合体に載置して、前記集合体に前記第１部材を掛止させる第１掛止ステップと、前記先端工具から前記第１部材を取り外して、前記先端工具の前記第１掛止部で前記第３部材の前記連接部材の他端を掛止し、且つ前記先端工具の前記摺動部に前記第４部材の前記第２係合部を載せた状態で、前記第２部材が前記集合体の底面に接するよう前記先端工具を横方向に移動する移動ステップと、前記先端工具の前記第１掛止部で前記第３部材の前記連接部材の他端を掛止し、且つ前記先端工具の前記摺動部に前記第４部材の前記第２係合部を載せた状態で、前記第２部材が前記集合体の底面に接するようにした位置から前記先端工具を下方向に移動させることにより、該先端工具に反時計回りの回転運動を生じさせて、前記先端工具の前記摺動部に載せた前記第４部材の前記第２係合部を前記第１部材の前記第１係合部に掛止する第２掛止ステップと、前記先端工具の前記第２掛止部で前記第３部材の前記連接部材の他端を掛止した状態で、前記第３部材および前記第４部材の係合点が、前記第２部材および前記第３部材の係合点と前記第１部材および前記第４部材の係合点とを結ぶ仮想線に対して前記集合体の位置する側とは反対側の位置から前記集合体の位置する側に移動するよう、前記先端工具の横方向の移動により、前記第２部材および前記第３部材の係合点を中心に前記第３部材を回転させて、複数の電線を結束して固定する固定ステップと、を備えることを特徴とする。
【発明の効果】
【００２０】
請求項１の発明によれば、鎖状連結した電線固定具の第１部材を、第１係合部、集合体の上面に接する第２辺部、側面に接する第１辺部、および第２係合部を連接して一体成形した形状としているので、集合体に第１部材を載置したときに、第１係合部、第２辺部および第１辺部を集合体に密着させて掛止させることができ、従来のように補助工具を併用することなく取付作業を行うことができる。また、第４部材の第２係合部を第１部材の第１係合部に掛止させた状態で、第３部材および第４部材の係合点が、第２部材および第３部材の係合点と第１部材および第４部材の係合点とを結ぶ仮想線に対して集合体の位置する側とは反対側の位置から集合体の位置する側に移動するよう、第２部材および第３部材の係合点を中心に第３部材を回転させて、複数の電線を結束して固定するので、第４部材に伸びの変形が発生し、元の形状に戻ろうとする力が働いて集合体を締め付ける力となり、電線相互を強力に固定することができる。なお、第１部材、第２部材および第３部材を第４部材と同等の弾性変形可能な素材で構成すれば、集合体を締め付ける力が均一に働いて、電線相互をより強力に固定することができる。結果として、巻き付け作業が不要で、取付作業の操作性に優れ、強固な締め付けが可能な電線固定具を実現することが可能となる。
【００２１】
請求項２の発明によれば、第１部材、第２部材、第３部材および第４部材をＵ字状の線状部材で構成するので、製造コストを抑制して同等の締め付け力を持つ電線固定具を実現することが可能となる。また、各部材の一部が、２本の線状部材が並行して、その間に空間を持つ構造となるので、当該電線固定具の補助具としてのスペーサや電線固定具などの取付技法に関する設計自由度を高めることができると共に、結束した電線群に鎖状連結した電線固定具を取り付ける際に用いる固定操作棒の先端工具の把持機能、掛止機能などの設計自由度をも高めることが可能である。
【００２２】
請求項３の発明によれば、第１部材の第１辺部の集合体の上面と接する側の面形状を、集合体の上面の面形状に合わせて形成するので、集合体に第１部材を載置したときに、第１係合部、第２辺部および第１辺部を集合体により密着させて掛止させることができる。
【００２３】
請求項４の発明によれば、電線固定具が想定していない電線群（例えば、径の小さい電線などとの組み合わせ）についても、スペーサの取付によって該電線群との密着性を高めることができ、電線相互を強力に固定することができるので、電線固定具の汎用性を高めることが可能となる。
【００２４】
請求項５の発明によれば、電線固定具の解除時に可動対象となる第３部材を、固定解除防止部材の係合を介して第１部材または第２部材と連結して固定した構造とするので、外的要因による電線固定具の解除を未然に防止することが可能となる。
【００２５】
請求項６の発明によれば、当該先端工具を回転自在に取り付ける取付部と、第１部材を保持する保持部と、第３部材の連接部材の他端を掛止する第１掛止部と、第４部材の第２係合部を載せて摺動させる摺動部と、前記第３部材の前記連接部材の他端を掛止するＪ字形状の第２掛止部と、を一体成形して固定操作棒の先端工具を構成したので、電線固定具の取付作業を固定操作棒の横方向および上下方向の移動のみで可能とし、従来の作業の困難な巻き付け作業を不要とすることができる。
【００２６】
請求項７の発明によれば、請求項１乃至請求項４の何れか１項に記載の電線固定具を、請求項６に記載の先端工具を取り付けた固定操作棒を用いて取り付けるので、電線固定具の取付作業を固定操作棒の横方向および上下方向の移動操作のみで可能となり、従来の作業の困難な巻き付け作業を不要とすることができる。
【図面の簡単な説明】
【００２７】
【図１】この発明の実施の形態１に係る電線固定具の説明図であり、図１（ａ）は電線に取付時の断面図、図１（ｂ）は右側面図、図１（ｃ）は下面図である。
【図２】この発明の実施の形態１に係る電線固定具の原理説明図である。
【図３】この発明の実施の形態２に係るスペーサを備えた電線固定具の説明図であり、図３（ａ）は断面図、図３（ｂ）は右側面図、図３（ｃ）は下面図である。
【図４】実施の形態２のスペーサの説明図であり、図４（ａ）は正面図、図４（ｂ）は側面図、図４（ｃ）は下面図、図４（ｄ）はＹ１−Ｙ１’面の断面図、図４（ｅ）はＸ１−Ｘ１’面の断面図である。
【図５】実施の形態３の固定操作棒の先端工具の説明図であり、図５（ａ）は上面図、図５（ｂ）は正面図、図５（ｃ）は側面図、図５（ｄ）は固定操作棒に取付時の外形を説明する説明図である。
【図６】この発明の実施の形態４に係る電線固定具の取付方法の説明図（その１）である。
【図７】この発明の実施の形態４に係る電線固定具の取付方法の説明図（その２）である。
【図８】この発明の実施の形態４に係る電線固定具の取付方法の説明図（その３）である。
【図９】この発明の実施の形態５に係る固定解除防止部材を備えた電線固定具の説明図であり、図９（ａ）は断面図、図９（ｂ）は右側面図、図９（ｃ）は下面図、図９（ｄ）は固定解除防止部材の斜視図である。
【図１０】この発明の電線固定具の変形例を例示する説明図（その１）である。
【図１１】この発明の電線固定具の変形例を例示する説明図（その２）である。
【発明を実施するための形態】
【００２８】
以下、この発明を図示の実施の形態に基づいて説明する。
【００２９】
〔実施の形態１〕
図１は、この発明の実施の形態１に係る電線固定具の説明図であり、図１（ａ）は電線１および２に実施の形態１の電線固定具を取り付けた時の断面図、図１（ｂ）は右側面図、図１（ｃ）は下面図である。
【００３０】
図１において、実施の形態１の電線固定具は、２本の電線１および２（即ち、幹線１および分岐電線２）を結束して固定する電線固定具であり、図１（ａ）に示す断面図において、該結束した２本の電線１および２の集合体断面の周囲形状を略方形状と見なして、該集合体の一面を上面とし、該上面に対向する面を底面とし、他の２つの面をそれぞれ側面とするとき、該集合体の上面および一方の側面と接する第１部材１１と、該集合体の底面と接する第２部材１２と、該集合体の他方の側面と接する第４部材１４と、第３部材１３と、を備える。
【００３１】
第１部材１１は、第１係合部１１Ａと、一端が該第１係合部１１Ａと連接して当該帯形状の第１辺部１１Ｄの一方（内側）の面が集合体の上面と接する帯形状の第１辺部１１Ｄと、該第１辺部１１Ｄの他端と連接して当該帯形状の第２辺部１１Ｃの一方（内側）の面が集合体の一方の側面と接する帯形状の第２辺部１１Ｃと、該第２辺部１１Ｃの他端と連接する第２係合部１１Ｂと、を弾性変形可能な素材で一体成形したものである。
【００３２】
なお、この実施の形態１では、第１部材１１において、帯形状の第１辺部１１Ｄおよび第２辺部１１Ｃをそれぞれ帯形状の長手方向の両側辺に配置される２本の線状部材で構成している。また、第１係合部１１ＡをＵ字状の線状部材で構成し、当該Ｕ字状線状部材の一端が第１辺部１１Ｄの一の線状部材の一端と、当該Ｕ字状線状部材の他端が第１辺部１１Ｄの他の線状部材の一端とそれぞれ連接している。さらに第１係合部１１Ａの該Ｕ字のそれぞれの側辺は、該Ｕ字の底辺の長手方向に垂直な仮想面上でＵ字状となるよう曲げて形成されている。また、第２係合部１１Ｂを２本の線状部材で構成し、一の線状部材の一端が第２辺部１１Ｃの一の線状部材の他端と、他の線状部材の一端が第２辺部１１Ｃの他の線状部材の他端とそれぞれ連接し、それぞれの線状部材の他端が（第１係合部１１ＡのＵ字の底辺の長手方向に垂直な仮想面上で）略円状となるよう曲げて形成されている。以上の第１部材１１が備える各部材の連接関係から推察できるように、実際には、第１部材１１は１本のＵ字状の線状部材であり、これに上記のような曲げ加工を施して第１係合部１１Ａおよび第２係合部１１Ｂを形成してなるものである。
【００３３】
また、第１部材１１では、第１辺部１１Ｄの集合体の上面と接する側の面形状を、集合体の上面の面形状に合わせて形成している。この実施の形態１では、略方形状と見なしている集合体（２本の電線１および２）の上面の断面形状は、図１（ａ）に示すように、実際には半円であるので、第１部材１１の全体の断面形状は逆Ｊ字状の形状となる。
【００３４】
このように、第１部材１１の第１辺部１１Ｄの電線１と接する面形状を集合体（２本の電線１および２）の上面の面形状に合わせて形成することにより、当該電線固定具の取付作業時に、第１部材１１を上側に配置される電線１と密着させることができる。取付作業時には、最初の工程で、第１部材１１の第１辺部１１Ｄが電線１の上側半円に密着し、第１部材１１の第２辺部１１Ｃが電線１および２の側辺に接するように第１部材１１を載置し、その後、続く作業に移行していくことになる。つまり、第１部材１１にこのような形状を持たせることにより、第１部材１１（並びに第１部材１１に連鎖状に係合されている第２部材１２、第３部材１３および第４部材１４）を集合体（２本の電線１および２）に掛止させることができ、従来の（バインド線の一端を保持するための）絶縁ヤットコのような補助工具を併用することなく取付作業を行うことができる。
【００３５】
また、第２部材１２は、第１部材１１の第２係合部１１Ｂと係合する第１係合部１２Ａと、一端が第１係合部１２Ａと連接して当該帯形状の第３辺部１２Ｃの一方（内側）の面が集合体の底面と接する帯形状の第３辺部１２Ｃと、該第３辺部１２Ｃの他端と連接する第２係合部１２Ｂと、を弾性変形可能な素材で一体成形したものである。ここで、第２部材１２は第１部材１１と係合する点を中心に回転自在である。
【００３６】
なお、この実施の形態１では、第２部材１２において、帯形状の第３辺部１２Ｃを帯形状の長手方向の両側辺に配置される２本の線状部材で構成している。また、第１係合部１２ＡをＵ字状の線状部材で構成し、当該Ｕ字状線状部材の一端が第３辺部１２Ｃの一の線状部材の一端と、当該Ｕ字状線状部材の他端が第３辺部１２Ｃの他の線状部材の一端とそれぞれ連接している。また、第２係合部１２Ｂを２本の線状部材で構成し、一の線状部材の一端が第３辺部１２Ｃの一の線状部材の他端と、他の線状部材の一端が第３辺部１２Ｃの他の線状部材の他端とそれぞれ連接し、それぞれの線状部材の他端は（第１係合部１２ＡのＵ字の底辺の長手方向に垂直な仮想面上で）略円状となるよう曲げて形成されている。以上の第２部材１２が備える各部材の連接関係から推察できるように、実際には、第２部材１２は１本のＵ字状の線状部材であり、これに上記のような曲げ加工を施して第２係合部１２Ｂを形成してなるものである。
【００３７】
また、第３部材１３は、第２部材１２の第２係合部１２Ｂと係合する第１係合部１３Ａと、一端が該第１係合部１３Ａと連接する連接部材１３Ｃと、該連接部材１３Ｃ上に当該第３部材１３Ｃの第１係合部１３Ａと距離を置いて配置される第２係合部１３Ｂと、を弾性変形可能な素材で一体成形したものである。ここで、第３部材１３は第２部材１２と係合する点を中心に回転自在である。
【００３８】
なお、この実施の形態１では、第３部材１３において、連接部材１３ＣをＵ字状の線状部材で構成している。また、第１係合部１３Ａを２本の線状部材で構成しており、一の線状部材の一端がＵ字状連接部材１３Ｃの一端と、他の線状部材の一端がＵ字状連接部材１３Ｃの他端とそれぞれ連接し、一の線状部材の他端が第２部材１２の第２係合部１２Ｂの一の線状部材が形成する円に、他の線状部材の他端が第２部材１２の第２係合部１２Ｂの他の線状部材が形成する円に、それぞれ嵌合するよう曲げて形成されている。さらに、第２係合部１３Ｂは、Ｕ字状連接部材１３ＣのＵ字の側辺となる部分をそれぞれ（連接部材１３ＣのＵ字の底辺の長手方向に垂直な仮想面上で）螺旋状に巻くことにより形成されている。以上の第３部材１３が備える各部材の連接関係から推察できるように、実際には、第３部材１３は１本のＵ字状の線状部材であり、これに上記のような曲げ加工を施して第１係合部１３Ａおよび第２係合部１３Ｂを形成してなるものである。
【００３９】
また、第４部材１４は、第３部材１３の第２係合部１３Ｂと係合して第３部材１３と係合する点を中心に当該第４部材１４を回転自在とする第１係合部１４Ａと、一端が該第１係合部１４Ａと連接して当該第４辺部１４の一方（内側）の面が集合体の他方の側面と接する第４辺部１４Ｃと、該第４辺部１４Ｃの他端と連接し、第１部材１１の第１係合部１１Ａと係合する第２係合部１４Ｂと、を弾性変形可能な素材で一体成形したものである。ここで、第４部材１４は第１部材との係合する点を中心に回転可能である。
【００４０】
なお、この実施の形態１では、第４部材１４において、第４辺部１４Ｃを対向する２本の線状部材で構成している。また、第２係合部１４ＢをＵ字状の線状部材で構成し、当該Ｕ字状線状部材の一端が第４辺部１４Ｃの一の線状部材の一端と、当該Ｕ字状線状部材の他端が第４辺部１４Ｃの他の線状部材の一端とそれぞれ連接されている。また、第１係合部１４Ａを２本の線状部材で構成し、一の線状部材の一端が第４辺部１４Ｃの一の線状部材の他端と、他の線状部材の一端が第４辺部１４Ｃの他の線状部材の他端とそれぞれ連接し、一の線状部材の他端が第３部材１３の第２係合部１３Ｂが形成する一の螺旋円に、他の線状部材の他端が第３部材１３の第２係合部１３Ｂが形成する他の螺旋円にそれぞれ嵌合するよう曲げて形成されている。以上の第４部材１４が備える各部材の連接関係から推察できるように、実際には、第４部材１４は１本のＵ字状の線状部材であり、これに上記のような曲げ加工を施して第１係合部１４Ａおよび第２係合部１４Ｂを形成してなるものである。
【００４１】
また、第１部材１１、第２部材１２、第３部材１３および第４部材１４は、それぞれ弾性変形可能な素材で一体成形するようにしているが、より具体的には、素材は硬鋼線材に樹脂加工を施したものを用いる。被膜樹脂の材料としては、耐候性ポリエチレン樹脂を主体とした原料、またはこれと同等以上の特性を有する絶縁物とするのが強度および絶縁性の点で望ましい。
【００４２】
次に、図２を参照して、実施の形態１の電線固定具によって電線の集合体を固定することが可能となる仕組みについて説明する。ここで、図２は、この発明の実施の形態１に係る電線固定具の原理説明図である。
【００４３】
電線の集合体（電線１および２）に取り付ける前の電線固定具は、第１部材１１と、該第１部材１１に係合した第２部材１２と、該第２部材１２に係合した第３部材１３と、該第３部材１３に係合した第４部材１４と、が鎖状に連結したものとなる。
【００４４】
このように鎖状連結した電線固定具の第１部材１１を集合体（電線１および２）に掛止した後、第２部材１２、第３部材１３および第４部材１４で集合体を包んでいくように、第２部材１２を第１部材１１との係合点を中心に回転させ、第３部材１３を第２部材１２との係合点を中心に回転させ、第４部材１４を第３部材１３との係合点を中心に回転させて、第４部材１４の第２係合部１４Ｂを第１部材１１の第１係合部１１Ａに掛止させる。このときの第１部材１１、第２部材１２、第３部材１３および第４部材１４と、集合体（電線１および２）との位置関係を表す断面図が図２（ａ）となる。
【００４５】
このとき、第２部材１２と第３部材１３とが係合する点と、第１部材１１と第４部材１４とが係合する点は、集合体の他方の側面に対応する略方形状の側辺と略平行となる仮想線Ｙ−Ｙ’上に位置している。また、この位置関係の状態で、第３部材１３の連接部材１３Ｃに対して、図２（ａ）において左斜め下方向に力を加えることにより、第３部材１３は第２部材１２との係合点（Ｋ２）を中心に時計回りに回転する。この回転の際に、第４部材１４は第１係合部１４Ａで第３部材１３と、第２係合部１４Ｂで第１部材１１とそれぞれ係合されており、第４部材１４の第１係合部１４Ａ（係合点Ｋ３）は、回転している第３部材１３の第２係合部１３Ｂと共に回転することになる。
【００４６】
このとき、第４部材１４の回転動作の回転中心は、第４部材１４の第１部材１１との係合点（Ｋ０）であり、回転中心Ｋ０の第４部材１４の自由回転運動で（第３部材１３と第４部材１４の）係合点Ｋ３が描く軌跡は仮想円Ｒ０である。また、回転中心Ｋ２の第３部材１３の自由回転運動で係合点Ｋ３が描く軌跡は仮想円Ｒ２である。両軌跡には仮想円Ｒ０および仮想円Ｒ２がそれぞれ仮想線Ｙ−Ｙ’と交差する位置で最大値（Δｙ２）となる回転軌道差があり、実際の第３部材１３と第４部材１４の係合点Ｋ３の軌道は、この回転軌道差の範囲内の部材寸法および部材の弾性率で定まる位置の軌道となる。
【００４７】
第３部材１３の連接部材１３Ｃに対して加わる左斜め下方向の力による回転運動は、第４部材１４の第４辺部１４Ｃの内側面が集合体（電線２）の他方の側面と接する位置に至った時点で止まる。このときの第１部材１１、第２部材１２、第３部材１３および第４部材１４と、集合体（電線１および２）との位置関係を表す断面図は図２（ｂ）となる。このとき、第４部材１４には伸びの変形が、第２部材１２の第２係合部１２Ｂ近傍にはしなりの変形が、第１部材１１の第１係合部１１Ａ近傍にはしなりの変形が、第１部材１１の第２係合部１１Ａ近傍にはしなりの変形が、それぞれ発生し、それぞれの部材に元の形状に戻ろうとする力が働いて、これらが集合体（電線１および２）を締め付ける力となり、電線相互を強力に固定することとなる。
【００４８】
すなわち、第１部材１１、第２部材１２、第３部材１３および第４部材１４と、集合体（電線１および２）との位置関係が図２（ａ）で示される関係にあるときに、第３部材１３と第４部材１４とが係合する点（Ｋ３）が、仮想線Ｙ−Ｙ’に対して集合体の位置する側とは反対側の位置から集合体の位置する側に移動するよう、第２部材１２と第３部材１３とが係合する点（Ｋ２）を中心に第３部材１３を回転させることにより、複数の電線１，２を結束して固定することができる。
【００４９】
なお、図２（ｂ）に示される第１部材１１、第２部材１２、第３部材１３および第４部材１４による電線１および２の固定を解除するには、第３部材１３の連接部材１３Ｃに対して、右方向に力を加えれば良く、簡単な操作で解除することができる。すなわち、回転中心Ｋ２の第３部材１３の自由回転運動で係合点Ｋ３が描く軌跡（仮想円Ｒ２）上の点Ｐ３の位置で電線１および２が固定されている状態で、係合点Ｋ３の位置が点Ｐ２より右側の位置になるよう力を加えれば、その後は各部材の元の形状に戻ろうとする力によって点Ｐ２の位置まで戻ることになる。
【００５０】
〔実施の形態２〕
次に、図３および図４を参照して、この発明の実施の形態２について説明する。ここで、図３は、この発明の実施の形態２に係るスペーサを備えた電線固定具の説明図であり、図３（ａ）は断面図、図３（ｂ）は右側面図、図３（ｃ）は下面図である。また、図４は、実施の形態２のスペーサの説明図であり、図４（ａ）は正面図、図４（ｂ）は側面図、図４（ｃ）は下面図、図４（ｄ）はＹ１−Ｙ１’面の断面図、図４（ｅ）はＸ１−Ｘ１’面の断面図である。
【００５１】
この実施の形態２は、実施の形態１で説明した第１部材１１、第２部材１２、第３部材１３および第４部材１４を鎖状連結した電線固定具で、２本の径の異なる電線１および２Ｂ（即ち、幹線１および分岐電線２Ｂ）を結束して固定する態様を例示したものである。
【００５２】
スペーサ２１は、図３に示すように、第２部材１２の第３辺部１２Ｃに取り付けられる。また、スペーサ２１の形状は、幹線１および分岐電線２Ｂを結束して電線固定具で固定したときに、（幹線１および分岐電線２Ｂの）集合体の底面（即ち、分岐電線２Ｂの下半円）、第１部材１１の第２辺部１１Ｃおよび第４部材１４の第４辺部１４Ｃと接するように、予め設計されている。すなわち、図３（ａ）中に幹線１と同径の電線を破線で示したように、スペーサ２１を分岐電線２Ｂにあてがった際に幹線１と同じ径となるよう配慮されており、電線固定具が同径の電線２の場合（実施の形態１）と同等の操作性や機能を持つよう設計されている。
【００５３】
また、スペーサ２１は、図４に示すように、該スペーサ２１の下部断面を凸形状に成形して、該凸形状の根側の箇所に形成された窪み部分に第３辺部１２Ｃの並行する２本の線状部材をあてがって取り付けられる。なお、スペーサ２１の素材は、電線固定具の第１部材１１、第２部材１２、第３部材１３および第４部材１４の被膜樹脂材料と同様で、耐候性ポリエチレン樹脂を主体とした原料、またはこれと同等以上の特性を有する絶縁物とするのが強度および絶縁性の点で望ましい。
【００５４】
このように、電線固定具が想定していない電線群（径の小さい電線などとの組み合わせ）についても、スペーサ２１の取付によって該電線群との密着性を高めることができ、電線相互を強力に固定することができるので、電線固定具の汎用性を高めることが可能となる。
【００５５】
〔実施の形態３〕
次に、実施の形態１および実施の形態２で説明した電線固定具の電線群への取付作業を、間接活線作業にて行う場合に用いる固定操作棒の先端工具について、図５を参照して説明する。ここで、図５は、実施の形態３の固定操作棒の先端工具の説明図であり、図５（ａ）は上面図、図５（ｂ）は正面図、図５（ｃ）は側面図、図５（ｄ）は固定操作棒に取付時の外形を説明する説明図である。
【００５６】
先端工具３１は、図５（ｄ）に示すように、Ｌ字形状を備え、固定操作棒３２の先端部に取付部材を介して逆Ｌ字に取り付けられ、該取付部材を軸として、同図に対して時計回り方向および反時計回り方向に回転自在である。
【００５７】
また、先端工具３１は、図５に示すように、Ｌ字の短辺の一端に配置され、固定操作棒３２に当該先端工具３１を回転自在に取り付ける取付部３１Ａと、Ｌ字の短辺の他端側に凸形状に形成され、電線固定具の第１部材１１の第２辺部１１Ｃの並行する２本の線状部材を押し広げる力で保持する保持部３１Ｂと、Ｌ字の短辺と長辺とが交差する位置に配置され、第３部材１３の連接部材１３Ｃの他端を掛止する第１掛止部３１Ｄと、Ｌ字の長辺上に形成され、第４部材１４の第２係合部１４Ｂを載せて摺動させる摺動部３１Ｅと、Ｌ字の長辺の一端側に第１掛止部３１Ｄと対向して配置され、第３部材１３の連接部材１３Ｃの他端を掛止するＪ字形状の第２掛止部３１Ｆと、を一体成形したものである。
【００５８】
先端工具３１の保持部３１Ｂは、電線固定具の第１部材１１の第２辺部１１Ｃの並行する２本の線状部材の間に、当該保持部３１Ｂを差し込むことにより電線固定具の第１部材１１を把持する。つまり、第２辺部１１Ｃの並行する２本の線状部材の間隔よりも保持部３１Ｂの厚みを厚くして、２本の線状部材によって当該保持部３１Ｂが挟まれる摩擦力を利用して、第１部材１１を把持するものである。なお、第１部材１１には、第２部材１２、第３部材１３および第４部材１４が鎖状連結されており、この鎖状連結された電線固定具を保持可能となるよう、保持部３１Ｂの厚みが調整される。
【００５９】
このように、この実施の形態の固定操作棒３２の先端工具３１では、先端工具３１を回転自在に取り付ける取付部３１Ａと、第１部材１１を保持する保持部３１Ｂと、第３部材１３の連接部材１３Ｃの他端を掛止する第１掛止部３１Ｄと、第４部材１４の第２係合部１４Ｂを載せて摺動させる摺動部３１Ｅと、第３部材１３の連接部材１３Ｃの他端を掛止するＪ字形状の第２掛止部３１Ｆと、を一体成形したので、電線固定具の取付作業を固定操作棒３２の横方向および上下方向の移動のみで可能とし、従来の作業の困難な巻き付け作業を不要とすることができる。
【００６０】
〔実施の形態４〕
次に、実施の形態１および実施の形態２の電線固定具を、実施の形態３の先端工具を取り付けた固定操作棒を用いて取り付ける電線固定具の取付方法について、図６、図７および図８を参照して説明する。ここで、図６、図７および図８は、この発明の実施の形態４に係る電線固定具の取付方法の説明図であり、図６および図７は実施の形態１の電線固定具を、図８は実施の形態２の電線固定具を、それぞれ取り付ける電線固定具の取付方法を例示している。
【００６１】
先ず、図６（ａ）に示すように、先端工具３１の保持部３１Ｂにより鎖状連結した電線固定具の第１部材１１を保持した状態で、該第１部材１１を集合体（電線１および２）に載置して、集合体に第１部材１１を掛止させる（第１掛止ステップ）。このとき、先端工具３１の摺動部３１Ｅと、Ｊ字形状の第２掛止部３１Ｆとが、第３部材１３のＵ字状線状部材と第４部材１４のＵ字状線状部材とで形成される輪の中に挿入された状態となっている。
【００６２】
そして、図６（ｂ）に示すように、集合体（電線１および２）に第１部材１１が掛止した状態のとき、先端工具３１の保持部３１Ｂからは第１部材１１が取り外されている。そして、図６（ｂ）および（ｃ）に示すように、先端工具３１の第１掛止部３１Ｄで第３部材１３の連接部材１３Ｃの他端を掛止し、且つ先端工具３１の摺動部３１Ｅに第４部材１４の第２係合部１４Ｂを載せた状態で、第２部材１２が集合体（電線１および２）の底面に接するよう先端工具３１を横方向に移動する（移動ステップ）。
【００６３】
そして、図６（ｄ）から図７（ａ）に示すように、先端工具３１の第１掛止部３１Ｄで第３部材１３の連接部材１３Ｃの他端を掛止し、且つ先端工具３１の摺動部３１Ｅに第４部材１４の第２係合部１４Ｂを載せた状態で、第２部材１２が集合体（電線１および２）の底面に接するようにした位置から先端工具３１を下方向に移動させることにより、該先端工具３１に反時計回りの回転運動を生じさせて、先端工具３１の摺動部３１Ｅに載せた第４部材１４の第２係合部１４Ｂを第１部材１１の第１係合部１１Ａに掛止する（第２掛止ステップ）。
【００６４】
そしてさらに、図７（ｂ）および（ｃ）に示すように、先端工具３１の第２掛止部３１Ｆで第３部材１３の連接部材１３Ｃの他端を掛止した状態で、第３部材１３および第４部材１４の係合点が、第２部材１２および第３部材１３の係合点と第１部材１１および第４部材１４の係合点とを結ぶ仮想線に対して集合体（電線１および２）の位置する側とは反対側の位置から集合体の位置する側に移動するよう、先端工具３１の横方向の移動により、第２部材１２および第３部材１３の係合点を中心に第３部材１３を回転させて、電線１および２を結束して固定する（固定ステップ）。
【００６５】
また、実施の形態２の電線固定具を取り付ける電線固定具の取付方法では、先ず、図８（ａ）に示すように、先端工具３１の保持部３１Ｂにより鎖状連結した電線固定具（第２部材１２にはスペーサ２１が取り付けられている）の第１部材１１を保持した状態で、該第１部材１１を集合体（電線１および２）に載置して、集合体に第１部材１１を掛止させる（第１掛止ステップ）。
【００６６】
そして、図８（ｂ）に示すように、集合体（電線１および２）に第１部材１１が掛止した状態のとき、先端工具３１の保持部３１Ｂからは第１部材１１が取り外されている。これ以降に行われる移動ステップ、第２掛止ステップおよび固定ステップについては、実施の形態１の電線固定具を取り付ける場合と同様である。
【００６７】
このように、実施の形態４の電線固定具の取付方法では、実施の形態１および実施の形態２の電線固定具を、実施の形態３の先端工具を取り付けた固定操作棒を用いて取り付けるので、電線固定具の取付作業を固定操作棒３２の横方向および上下方向の移動操作のみで可能となり、従来の作業の困難な巻き付け作業を不要とすることができる。
【００６８】
なお、既存の絶縁ヤットコや既存の先端工具を取り付けた固定操作棒によっても、実施の形態１および実施の形態２の電線固定具を電線群に取り付けることは可能であるが、固定操作棒の横方向および上下方向の移動操作のみで行うことは難しいと想像される。
【００６９】
〔実施の形態５〕
次に、実施の形態１に固定解除防止部材を付加した電線固定具について、図９を参照して説明する。ここで、図９は、この発明の実施の形態５に係る固定解除防止部材を備えた電線固定具の説明図であり、図９（ａ）は断面図、図９（ｂ）は右側面図、図９（ｃ）は下面図、図９（ｄ）は固定解除防止部材の斜視図である。
【００７０】
この実施の形態５は、実施の形態１で説明した第１部材１１、第２部材１２、第３部材１３および第４部材１４を鎖状連結した電線固定具で、２本の電線１および２を結束して固定した態様に、外的要因により固定が解除するのを防止するための固定解除防止部材を追加した構成を例示したものである。電線の揺れ等により電線固定具が脱落する可能性は極めて低いが，飛来物接触による固定解除の可能性は否定できない。よって，万一の場合を考えると、固定が解除しないよう固定解除防止部材を取り付けておくのが望ましい。
【００７１】
固定解除防止部材３５は、第２部材１２の第１係合部１２Ａ（または第１部材１１の第２係合部１１Ｂ）と係合する第１係合部と、第３部材１３の第３係合部と係合する第２係合部と、を一体成形したものである。この実施の形態５では、第３部材１３を、連接部材１３Ｃの他端に第３係合部を備えた構成とする。なお、実施の形態１の第３部材１３を変形するのではなく、連接部材１３ＣのＵ字状線状部材のＵ字の底辺に該当する部分を第３係合部とする。
【００７２】
つまり、固定解除防止部材３５を線状部材で構成し、図９（ｄ）に示すように、線状部材の両端をフック状にしたものを用いる。固定解除防止部材３５の第２部材１２の第１係合部１２Ａ（Ｕ字状線状部材のＵ字の底辺部分が該当する）および連接部材１３Ｃの他端（Ｕ字状線状部材のＵ字の底辺部分が該当する）に対する取付作業は、絶縁ヤットコ、或いは、先端工具に「ラジオペンチ式アダプタ」を取り付けた固定操作棒を用いて行う。
【００７３】
このように、この実施の形態５では、電線固定具の解除時に可動対象となる第３部材１３を、固定解除防止部材３５の係合を介して第２部材１２（または第１部材１１）と連結して固定した構造とするので、外的要因による電線固定具の解除を未然に防止することが可能となる。
【００７４】
〔変形例〕
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、電線群を２本の電線として説明したが、３本以上の電線群に対しても適用可能であることは言うまでもない。図１０および図１１に、この発明の電線固定具の変形例を例示する。
【００７５】
図１０（ａ）には、実施の形態１の電線固定具を、４本の電線を固定対象としたときの構成に変形した場合の断面図を例示している。同図において、この変形例１の電線固定具は、第１部材１１１、第２部材１１２、第３部材１１３および第４部材１１４を鎖状連結した構成であり、詳細の構造、取付用の先端工具、取付方法などは上記の実施の形態と同様であり、同等の効果を奏することができる。
【００７６】
また、図１０（ｂ）には、実施の形態１の電線固定具を、５本の電線を固定対象としたときの構成に変形した場合の断面図を例示している。同図において、この変形例２の電線固定具は、第１部材１２１、第２部材１２２、第３部材１２３および第４部材１２４を鎖状連結した構成である。ここで、電線３および５の右下方に、該空間を埋めるスペーサ２２を備えた構成としても良い。また、詳細の構造、取付用の先端工具、取付方法などは上記の実施の形態と同様であり、同等の効果を奏することができる。なお、特許請求の範囲にいう「結束した電線群の集合体断面の周囲形状を略方形状と見なして」の「略方形状」には、変形例２のような台形形状のものも含まれる。
【００７７】
また、図１１（ａ）には、変形例１の電線固定具（図１０（ａ）参照）を、３本の電線を固定対象としたときの構成に変形した場合の断面図を例示している。同図において、この変形例３の電線固定具は、変形例１の電線固定具にスペーサ２３を付加した構成であり、詳細の構造、取付用の先端工具、取付方法などは上記の実施の形態と同様であり、同等の効果を奏することができる。
【００７８】
また、図１１（ｂ）には、変形例１の電線固定具（図１０（ａ）参照）を、３本の径の異なる電線を固定対象としたときの構成に変形した場合の断面図を例示している。同図において、この変形例４の電線固定具は、変形例１の電線固定具により大きいスペーサ２４を付加した構成であり、詳細の構造、取付用の先端工具、取付方法などは上記の実施の形態と同様であり、同等の効果を奏することができる。
【００７９】
さらに、図１１（ｃ）には、変形例１の電線固定具（図１０（ａ）参照）を、４本の径の異なる電線を固定対象としたときの構成に変形した場合の断面図を例示している。同図において、この変形例４の電線固定具は、変形例１の電線固定具に、電線２および３の右下方の空間を埋めるスペーサ２５を付加した構成であり、詳細の構造、取付用の先端工具、取付方法などは上記の実施の形態と同様であり、同等の効果を奏することができる。
【符号の説明】
【００８０】
１        電線（幹線）
２，２Ｂ  電線（分岐電線）
３〜５    電線
１１      第１部材
１１Ａ，１２Ａ，１３Ａ，１４Ａ  第１係合部
１１Ｂ，１２Ｂ，１３Ｂ，１４Ｂ  第２係合部
１１Ｃ    第２辺部
１１Ｄ    第１辺部
１２      第２部材
１２Ｃ    第３辺部
１３      第３部材
１３Ｃ    連接部材
１４      第４部材
１４Ｃ    第４辺部
２１〜２５  スペーサ
３１      先端工具
３１Ａ    取付部
３１Ｂ    保持部
３１Ｄ    第１掛止部
３１Ｅ    摺動部
３１Ｆ    第２掛止部
３２      固定操作棒
３５      固定解除防止部材
【図１】
0006471517.tif 000002
【図２】
0006471517.tif 000003
【図３】
0006471517.tif 000004
【図４】
0006471517.tif 000005
【図５】
0006471517.tif 000006
【図６】
0006471517.tif 000007
【図７】
0006471517.tif 000008
【図８】
0006471517.tif 000009
【図９】
0006471517.tif 000010
【図１０】
0006471517.tif 000011
【図１１】
0006471517.tif 000012